(57)【要約】【課題】比較的簡易で，比較的コストが低く，使い易いことを特徴とする眼鏡保持器具を提供する。【解決手段】眼鏡フレーム１０に取り付け可能な眼鏡保持器具１４は複数の柔軟な筒状セグメント２０，２２を備えており、これら複数の柔軟な筒状セグメント２０，２２は、柔軟な筒状の支持具である紐を形成するように互いに連結され、当該紐の長さを変更できるように調節が可能となっている。また、一端調節された柔軟な筒状セグメント２０，２２を動かないように固定するため、１つ或いは複数の留め具が用いられる。【選択図】図１
2012515366.tif 000002
【特許請求の範囲】
【請求項１】
側部支持アームを備える眼鏡フレームを使用者の頭部の適切な位置に取り付けるための眼鏡保持器具において、
該眼鏡保持器具はチューブ端部を備える柔軟なチューブを備え、
該チューブは折り返されて、２つの端部分を形成し、
該端部分はそれぞれ内側チューブ層及び外側チューブ層を備え、
該外側チューブ層は前記内側チューブ層及び前記チューブ端部を囲繞し、
前記端部分は前記側部支持アームを収受するための開口を形成し、
前記端部分の前記内側チューブ層は前記側部支持アームと摩擦係合して、前記眼鏡保持器具を前記眼鏡フレーム上に保持することを特徴とする、眼鏡保持器具。
【請求項２】
請求項１記載の眼鏡保持器具において、
前記チューブは、連結された柔軟な筒状セグメントからなる紐を形成する複数の柔軟な筒状セグメントを備え、
前記連結された柔軟な筒状セグメントのうち少なくとも１つは、他の前記連結された柔軟な筒状セグメント内に収受されて、両筒状セグメントの連結部を形成することを特徴とする、眼鏡保持器具。
【請求項３】
請求項２記載の眼鏡保持器具において、
前記連結部を形成する前記連結された柔軟な筒状セグメントは互いに摩擦係合した状態にあることを特徴とする、眼鏡保持器具。
【請求項４】
請求項３記載の眼鏡保持器具において、
前記連結部は、前記連結部を形成する前記連結された筒状セグメント同士の相対的な位置を変更することにより、前記連結された柔軟な筒状セグメントからなる前記紐の長さを選択的に長く又は短く調節することを可能とする入れ子式の連結部となっていることを特徴とする、眼鏡保持器具。
【請求項５】
請求項４記載の眼鏡保持器具において、
前記眼鏡保持器具はさらに、前記連結された柔軟な筒状セグメントからなる前記紐上に選択的に配置可能な留め具を備えており、該留め具により、前記連結された筒状セグメント間の摩擦係合を強めるために、前記連結部を形成する前記連結された筒状セグメントに対し締付力を加えることを特徴とする、眼鏡保持器具。
【請求項６】
請求項５記載の眼鏡保持器具において、
前記留め具は、前記連結された柔軟な筒状セグメントからなる前記紐を摩擦係合した状態で囲繞し、前記紐に対して摺動可能な、弾性を有する連結器具を備えることを特徴とする、眼鏡保持器具。
【請求項７】
請求項１記載の眼鏡保持器具において、
前記柔軟なチューブは、前記側部支持アームを収受するときに前記端部分が広がることができるように広がり且つ引っ張る力が加えられたときに収縮して前記端部分と前記側部支持アームとの間の摩擦係合を強める、伸縮可能な編まれた材料で形成されることを特徴とする、眼鏡保持器具。
【請求項８】
請求項７記載の眼鏡保持器具において、
前記伸縮可能な編まれた材料は、ポリエチレンテレフタレートポリマーからなる編まれた繊維からなることを特徴とする、眼鏡保持器具。
【請求項９】
請求項１記載の眼鏡保持器具はさらに、前記内側チューブ層と前記外側チューブ層との間における相対的に摺動可能な動作を実質的に防止するために、前記チューブの前記端部分の前記内側チューブ層及び前記外側チューブ層を一緒に締め付ける留め具を備えることを特徴とする、眼鏡保持器具。
【請求項１０】
請求項２記載の眼鏡保持器具において、
前記連結された柔軟な筒状セグメントの少なくとも１つは、他の前記連結された柔軟な筒状セグメントと色が異なることを特徴とする、眼鏡保持器具。
【請求項１１】
請求項１記載の眼鏡保持器具において、
前記チューブは、単一体の構造であり、一体的に連結された柔軟な筒状セグメントからなる紐で構成されることを特徴とする、眼鏡保持器具。
【請求項１２】
請求項２記載の眼鏡保持器具において、
前記柔軟な筒状セグメントは互いに選択的に完全に分離可能であることを特徴とする、眼鏡保持器具。
【請求項１３】
側部支持アームを備える眼鏡フレームを使用者の頭部の適切な位置に保持するための眼鏡保持器具において、
該眼鏡保持器具は、
連結された筒状セグメントからなる紐を形成する複数の筒状セグメントを備え、
前記連結された筒状セグメントのうち少なくとも１つは、他の前記連結された筒状セグメント内に収受されて、両筒状セグメントの連結部と、前記側部支持アームに連結するための，前記連結された筒状セグメントのうち２つの筒状セグメントの端部分とを形成することを特徴とする、眼鏡保持器具。
【請求項１４】
側部支持アームを備える眼鏡フレームと、
チューブ端部を有する柔軟なチューブを備える眼鏡保持器具との組合せにおいて、
前記チューブは折り返されて２つの端部分を形成し、
該端部分それぞれは内側チューブ層と外側チューブ層を備え、
前記外側チューブ層は前記内側チューブ層と前記チューブ端部を囲繞し、
前記端部分は前記側部支持アームを収受する開口を形成し、
前記端部分の前記内側チューブ層は前記側部支持アームと摩擦係合して、前記眼鏡保持器具を前記眼鏡フレーム上に保持することを特徴とする、組合せ。
【請求項１５】
請求項１４記載の組合せにおいて、
前記チューブは、連結された柔軟な筒状セグメントからなる紐を形成する複数の柔軟な筒状セグメントを備え、
前記連結された柔軟な筒状セグメントのうち少なくとも１つは、他の前記連結された筒状セグメント内に収受されて、両筒状セグメントの連結部を形成することを特徴とする、組合せ。
【請求項１６】
請求項１５記載の組合せにおいて、
前記連結部を形成する前記連結された柔軟な筒状セグメントは互いに摩擦係合した状態にあることを特徴とする、組合せ。
【請求項１７】
請求項１６記載の組合せにおいて、
前記連結部は、前記連結部を形成する前記連結された筒状セグメント同士の相対的な位置を変更することにより、前記連結された柔軟な筒状セグメントからなる前記紐の長さを選択的に長く又は短く調節することを可能とする入れ子式の連結部となっていることを特徴とする、組合せ。
【請求項１８】
請求項１７記載の組合せにおいて、
前記組合せはさらに、前記連結された柔軟な筒状セグメントからなる前記紐上に選択的に配置可能な留め具を備えており、該留め具により、前記連結された筒状セグメント間の摩擦係合を強めるために、前記連結部を形成する前記連結された筒状セグメントに対し締付力を加えることを特徴とする、組合せ。
【請求項１９】
請求項１８記載の組合せにおいて、
前記留め具は、前記連結された柔軟な筒状セグメントからなる前記紐を摩擦係合した状態で囲繞し、前記紐に対して摺動可能な、弾性を有する連結器具を備えることを特徴とする、組合せ。
【請求項２０】
請求項１４記載の組合せにおいて、
前記柔軟なチューブは、前記側部支持アームを収受するときに前記端部分が広がることができるように広がり且つ引っ張る力が加えられたときに収縮して前記端部分と前記側部支持アームとの間の摩擦係合を強める、伸縮可能な編まれた材料で形成されることを特徴とする、組合せ。
【発明の詳細な説明】
【技術分野】
【０００１】
本願発明は、側部支持アームを備える眼鏡フレームを使用者の頭部の適所に保持するための眼鏡保持器具に関する。
【背景技術】
【０００２】
眼鏡が人の頭部に掛けられた状態を保つため、様々なタイプの保持器具を用いることがよく知られている。眼鏡の着用者の首の周りにフィットしたり、別の方法で使用者に固定される眼鏡ホルダーも知られており、これらの器具は眼鏡を使用していないときに眼鏡を支持するために用いられる。器具の中には、これらのいずれの役割にも利用できるものもある。
【０００３】
眼鏡のホルダー及び保持器具として、紐が眼鏡と共によく用いられる。典型的には、眼鏡フレームの側部支持アームに何らかの方法で紐の端部を取り付け、この紐で着用者の首の周りに輪を形成する。多くの器具には、使用者の頭の周りで紐をきつくするために、２本の紐又は紐部分の上を摺動するスライダーが組み合わされており、これにより眼鏡の使用中に眼鏡フレームが適所に保持される。眼鏡を外して、眼鏡が使用者の首の周りに掛けられているときに、眼鏡保持器具から釣り下げることを可能にするため、紐によって形成される輪の実際のサイズを大きくするよう紐に対してスライダーを摺動させることもできる。紐を用いるよりも、通常布地で作られるスリーブを保持器具又はホルダーとして用いることが知られており、この場合、眼鏡フレームの側部支持アームの両先端部がスリーブの開口端部に挿入される。従来の保持器具では、様々なタイプの別体のコネクタによって、紐又はスリーブと、眼鏡フレームとが相互に連結される。
【発明の概要】
【発明が解決しようとする課題】
【０００４】
本願発明は、比較的簡易で，比較的コストが低く，使い易いことを特徴とする眼鏡保持器具に関する。
【課題を解決するための手段】
【０００５】
上記課題を解決するため、側部支持アームを備える眼鏡フレームを使用者の頭部の適切な位置に取り付けるための眼鏡保持器具において、該眼鏡保持器具はチューブ端部を備える柔軟なチューブを備え、該チューブは折り返されて、２つの端部分を形成し、該端部分はそれぞれ内側チューブ層及び外側チューブ層を備え、該外側チューブ層は前記内側チューブ層及び前記チューブ端部を囲繞し、前記端部分は前記側部支持アームを収受するための開口を形成し、前記端部分の前記内側チューブ層は前記側部支持アームと摩擦係合して、前記眼鏡保持器具を前記眼鏡フレーム上に保持することを特徴とする、眼鏡保持器具を提供する。
前記眼鏡保持器具において、前記チューブは、連結された柔軟な筒状セグメントからなる紐を形成する複数の柔軟な筒状セグメントを備え、前記連結された柔軟な筒状セグメントのうち少なくとも１つは、他の前記連結された柔軟な筒状セグメント内に収受されて、両筒状セグメントの連結部を形成してもよい。
前記眼鏡保持器具において、前記連結部を形成する前記連結された柔軟な筒状セグメントは互いに摩擦係合した状態にあってもよい。
前記眼鏡保持器具において、前記連結部は、前記連結部を形成する前記連結された筒状セグメント同士の相対的な位置を変更することにより、前記連結された柔軟な筒状セグメントからなる前記紐の長さを選択的に長く又は短く調節することを可能とする入れ子式の連結部となっていてもよい。
前記眼鏡保持器具において、前記眼鏡保持器具はさらに、前記連結された柔軟な筒状セグメントからなる前記紐上に選択的に配置可能な留め具を備えており、該留め具により、前記連結された筒状セグメント間の摩擦係合を強めるために、前記連結部を形成する前記連結された筒状セグメントに対し締付力を加えてもよい。
前記眼鏡保持器具において、前記留め具は、前記連結された柔軟な筒状セグメントからなる前記紐を摩擦係合した状態で囲繞し、前記紐に対して摺動可能な、弾性を有する連結器具を備えていてもよい。
前記眼鏡保持器具において、前記柔軟なチューブは、前記側部支持アームを収受するときに前記端部分が広がることができるように広がり且つ引っ張る力が加えられたときに収縮して前記端部分と前記側部支持アームとの間の摩擦係合を強める、伸縮可能な編まれた材料で形成されていてもよい。
前記眼鏡保持器具において、前記伸縮可能な編まれた材料は、ポリエチレンテレフタレートポリマーからなる編まれた繊維からなっていてもよい。
前記眼鏡保持器具はさらに、前記内側チューブ層と前記外側チューブ層との間における相対的に摺動可能な動作を実質的に防止するために、前記チューブの前記端部分の前記内側チューブ層及び前記外側チューブ層を一緒に締め付ける留め具を備えていてもよい。
前記眼鏡保持器具において、前記連結された柔軟な筒状セグメントの少なくとも１つは、他の前記連結された柔軟な筒状セグメントと色が異なっていてもよい。
前記眼鏡保持器具において、前記チューブは、単一体の構造であり、一体的に連結された柔軟な筒状セグメントからなる紐で構成されていてもよい。
前記眼鏡保持器具において、前記柔軟な筒状セグメントは互いに選択的に完全に分離可能であってもよい。
また、上記課題を解決するため、側部支持アームを備える眼鏡フレームを使用者の頭部の適切な位置に保持するための眼鏡保持器具において、該眼鏡保持器具は、連結された筒状セグメントからなる紐を形成する複数の筒状セグメントを備え、前記連結された筒状セグメントのうち少なくとも１つは、他の前記連結された筒状セグメント内に収受されて、両筒状セグメントの連結部と、前記側部支持アームに連結するための，前記連結された筒状セグメントのうち２つの筒状セグメントの端部分とを形成することを特徴とする、眼鏡保持器具を提供してもよい。
また、上記課題を解決するために、側部支持アームを備える眼鏡フレームと、チューブ端部を有する柔軟なチューブを備える眼鏡保持器具との組合せにおいて、前記チューブは折り返されて２つの端部分を形成し、該端部分それぞれは内側チューブ層と外側チューブ層を備え、前記外側チューブ層は前記内側チューブ層と前記チューブ端部を囲繞し、前記端部分は前記側部支持アームを収受する開口を形成し、前記端部分の前記内側チューブ層は前記側部支持アームと摩擦係合して、前記眼鏡保持器具を前記眼鏡フレーム上に保持することを特徴とする、組合せを提供してもよい。
【発明の効果】
【０００６】
本眼鏡保持器具においては、着用者の頭周りの密着度合いをきつくする又は緩める調節を容易に行うことができる。このような調節が可能なため、本眼鏡保持器具は頭のサイズが異なる人にも用いることができる。本眼鏡保持器具は、従来の眼鏡保持器具に良く見られるような、使用者の頭や首の部分からぶら下がる体裁の悪い尾状のものを設けることなく調節が可能である。本願発明の眼鏡保持器具は、眼鏡フレームのほぼどんなサイズの側部支持アームにも適合するよう拡張する。
【図面の簡単な説明】
【０００７】
【図１】図１は、眼鏡フレームの、外方に伸びる側部支持アームに連結された眼鏡保持器具を示す斜視図である。
【図２】図２は図１と類似する図であるが、側部支持アームが眼鏡フレームの残りの部分とレンズに重なって折り畳まれた状態を示している。
【図３】図３は眼鏡保持器具が側部支持アームに連結される前の、眼鏡フレームの側部支持アームの一部を示す分解斜視図であり、眼鏡保持器具が部分的に組み立てられた状態で示されている。
【図４】図４は、図３及び７の４−４線に沿った拡大断面図である。
【図５】図５は、図１の５−５線に沿った拡大断面図である。
【図６】図６は図１と類似する図であるが、本願発明の他の実施形態を示している。
【図７】図７は、図６に示す眼鏡保持器具の実施形態に連結される前の、眼鏡フレームの２本の側部支持アームの一部を示す分解斜視図であり、眼鏡保持器具は分解された状態で示されている。
【図８】図８は、図６の８−８線に沿った拡大断面図である。
【発明を実施するための形態】
【０００８】
以下の説明及び添付の図面を参照すると、本願発明の他の特徴，利点及び目的が明らかになるであろう。
【０００９】
図１から５を参照すると、（２本の）側部支持アーム１２を備える従来の眼鏡フレーム１０が示されている。図１，２に示されるように、本願発明の教示に従い構成された眼鏡保持器具１４は、側部支持アーム１２に連結される。
【００１０】
眼鏡保持器具１４は、連結された複数の柔軟な筒状セグメントから成る紐を形成する２つの筒状セグメント２０，２２を有する。この実施形態においては、これらの筒状セグメント２０，２２は、１つの柔軟な筒状材料からなる単一体のセグメントで構成される。すなわち、この紐は１本の柔軟なチューブである。このチューブは両端部２５を備え、折り返されて、隔てられた端部分２６，２８を形成する。図４は、端部分２６を示しており、端部分２８はこれと同様の構成を備える。端部分２６，２８はそれぞれ内側チューブ層３０と外側チューブ層３２を備える。外側チューブ層３２は内側チューブ層３０及び関連する端部２５を囲繞する（図５参照）。
【００１１】
開示される眼鏡保持器具１４において、筒状セグメント２０の端部分２６は開口を形成し、眼鏡フレーム１０の側部支持アーム１２の一方を収受する。他方、筒状セグメント２２の端部分２８はもう一方の側部支持アーム１２を収受する開口を形成する（図１，２参照）。端部分２６，２８は側部支持アーム１２上を摺動し、その内側チューブ層３０が側部支持アーム１２と摩擦係合状態にあるため、眼鏡フレーム１０上に筒状セグメント２０，２２が保持される。
【００１２】
好適な実施形態においては、筒状セグメント２０，２２は、伸縮可能な編まれた材料（braided material）で形成される。特に適した材料は、どんな眼鏡フレーム１０の側部支持アーム１２にもフィットするように広がる耐水性の材料であるポリエチレンテレフタレートポリマーの編まれた繊維である。
【００１３】
一旦側部支持アーム１２が適切な位置に配置されると、側部支持アーム１２は端部分２６，２８から引き抜かれるのに抗する。筒状セグメント２０，２２がポリエチレンテレフタレートポリマーからなる編まれた繊維のような伸縮可能な編まれた材料で形成されているために、端部分２６，２８はチャイニーズ・フィンガー・トラップ（Chinese finger trap）のように振舞い、端部分２６，２８が引っ張る力を受けると、端部分２６，２８は円周が小さくなり、きつくなる。それに伴って、側部支持アーム１２と端部分２６，２８とが互いにきつく連結される。
【００１４】
柔軟なチューブの全体の長さは、端部分２６，２８の長さを長く又は短くすることで変更できることが理解されるであろう。当然ながら、これは、チューブが折り返される際に端部２５がどのくらい中に挿入されたかによるであろう。このような構成によって、容易に着用者の頭にフィットするよう調整すること可能となる。一旦サイズが調節されると、端部分２６，２８に締付力を加えるために、筒状の連結器具３８の形状をした留め具が用いられる。２つの筒状の連結器具３８は、連結された柔軟な筒状セグメント２０，２２からなる紐を摩擦係合した状態で囲繞しており、筒状セグメント２０，２２に対して手動で摺動可能である。図５は、筒状セグメント２０の折り返された端部分２６の内側及び外側のチューブ層３０，３２に締付力を加えている、一方の留め具又は連結器具３８を示している。連結器具３８は例えば弾性ゴムなど適切な材料で形成され得る。連結器具３８は、内側チューブ層３０と外側チューブ層３２の間の摩擦係合状態を強めるだけでなく、端部２５の位置を覆い隠してより洗練された概観を提供する。
【００１５】
図６，７及び８は第２の実施形態に係る眼鏡保持器具４０を示す。本実施形態は、完全に分離可能な２つの筒状セグメント４２，４４と、１つの連結器具３８を備える。本実施形態は、筒状セグメント４２，４４それぞれが１つの筒状材料からなる部品である点で、上記第１の実施形態と対比される。
【００１６】
図１から５に示す実施形態の筒状セグメント２０，２２及び連結器具３８に関して上述した方法とは若干異なる方法で、筒状セグメント４２，４４は相互に及び連結器具３８と協働する。
【００１７】
図６から８に示された実施形態において、筒状セグメント４２，４４はそれぞれその全長に渡って折り返され、内側チューブ層４６とそれを囲繞する外側チューブ層４８を形成する。筒状セグメント４２の一方の端部５０が筒状セグメント４４の端部の開口を通じて筒状セグメント４４内に摺動され、入れ子式の連結部を形成する。筒状セグメント４２，４４からなる紐が所望の全長を得られるまで、筒状セグメント４４に対して筒状セグメント４２の位置が調節される。第１の実施形態に関して上述したように、筒状セグメント４２，４４の連結されていない端部はそれぞれ眼鏡フレーム１０の側部支持アーム１２を収受する。
【００１８】
上述のどちらの実施形態においても、眼鏡フレーム１０に対する筒状セグメントの調節は容易に実現される。側部支持アーム１２に対する調節は、側部支持アーム１２に取り付けられた筒状セグメントを所望の位置まで摺動させるだけでよい。図６から８に示された実施形態においては、連結部において筒状セグメントを互いに近づけ又は遠ざけるよう動かすことにより、筒状セグメントによって形成された紐の全長を変更させることもできる。ただし、このような変更は、筒状セグメントからなる紐の上で連結器具を非締付位置に摺動させた後で実現される。筒状セグメントが互いに離れるように引っ張られているとき、チャイニーズ・フィンガー・トラップの効果により、相対的な移動に対してなお抵抗する力が存在することとなるが、筒状セグメントを手で操作することでこれを解決することができる。
【００１９】
本願の眼鏡保持器具の構成に用いられる材料は、上述の所望の特徴を有する適切な種類のものであればよいことが理解されるであろう。さらに、筒状セグメントは単色である必要は無い。各筒状セグメントが多色であってもよいし、筒状セグメント毎に異なる色であってもよい。
【符号の説明】
【００２０】
１０：眼鏡フレーム    １２：側部支持アーム    １４：眼鏡保持器具    ２０，２２：筒状セグメント    ２５：端部    ２６，２８：端部分    ３０：内側チューブ層    ３２：外側チューブ層    ３８：連結器具
【図１】
2012515366.tif 000003
【図２】
2012515366.tif 000004
【図３】
2012515366.tif 000005
【図４】
2012515366.tif 000006
【図５】
2012515366.tif 000007
【図６】
2012515366.tif 000008
【図７】
2012515366.tif 000009
【図８】
2012515366.tif 000010
【図９】
2012515366.tif 000011
【図１０】
2012515366.tif 000012
【手続補正書】
【提出日】平成23年11月25日(2011.11.25)
【手続補正１】
【補正対象書類名】図面
【補正対象項目名】図９
【補正方法】削除
【補正の内容】
【手続補正２】
【補正対象書類名】図面
【補正対象項目名】図１０
【補正方法】削除
【補正の内容】
【国際調査報告】
2012515366.tif 000013